(57)【特許請求の範囲】
【請求項１】
駐車場内に複数設けた個別の駐車区域毎に、駐車車両の入出庫管理機能と駐車料金精算機能とを有する端末機を備えた駐車場管理システムにおいて、
前記複数の端末機と通信可能に接続し、これら端末機から各々送信される駐車料金精算情報に基づいて領収書の発行を集中管理する領収書発行機を、駐車場内に設置したことを特徴とする駐車場管理システム。
【請求項２】
前記領収書発行機は、前記複数の端末機のそれぞれの徴収金額を集計する集計機能を備えて構成したことを特徴とする請求項１に記載の駐車場管理システム。
【請求項３】
前記領収書発行機は、前記複数の端末機それぞれに駐車料金算出用の料金データを設定する料金データ設定機能を備えて構成したことを特徴とする請求項１または２に記載の駐車場管理システム。
【請求項４】
前記料金データ設定機能は、前記領収書発行機に接続した料金データ設定器で設定された料金データを前記複数の端末機それぞれにダウンロードする構成としたことを特徴とする請求項３に記載の駐車場管理システム。
【請求項５】
前記料金データ設定器は、前記領収書発行機の接続前に料金データを設定可能な構成としたことを特徴とする請求項４に記載の駐車場管理システム。
【請求項６】
前記領収書発行機は、領収書発行機自体及び各端末機のどちらか一方に設けた領収書発行要求操作部が操作されたときに領収書を発行する構成としたことを特徴とする請求項１〜５のいずれか１つに記載の駐車場管理システム。
【発明の詳細な説明】
【０００１】
【発明の属する技術分野】
本発明は、駐車場内の個別の駐車区域毎に設けられた複数の端末機が駐車車両の入出庫の管理と駐車料金の精算とを行う駐車場管理システムに関し、特に、駐車場の運営管理を容易にできる駐車場管理システムに関する。
【０００２】
【従来の技術】
例えば、駐車場管理システムとして、駐車場内に複数設けた個別の駐車区域毎に設けられた端末機が、駐車車両の入出庫を管理する機能と前記駐車車両の駐車料金を精算する機能とを有するように構成されたものがある。
このようなシステムでは従来、駐車場内の各端末機に領収書発行機能を設けていた。
【０００３】
また、駐車料金の集計や駐車料金算出用の料金データの設定は、係員が専用の機器を各端末機に接続して端末機毎に行われていた。
【０００４】
【発明が解決しようとする課題】
しかしながら、上述のように各端末機が領収書の発行機能を備える構成では、駐車場内の全ての端末機にプリンタを装備しなければならないため、プリンタの点検やプリンタ用紙の補充等を端末機毎に行わなければならなかった。
また、従来の方法では、駐車料金の集計や料金データの設定を端末機毎に行わなければならず、作業に多大な時間を要していた。
【０００５】
このように、上述のような従来の駐車場管理システムでは、メンテナンス作業時や駐車料金集計時に係員が全ての端末機を巡回する必要があり、駐車場の運営管理が大変であった。
本発明は、上記の事情に鑑みてなされたもので、駐車区域毎に駐車料金を精算する方式の駐車場管理システムにおける駐車場の運営管理を容易にすることを目的とする。
【０００６】
【課題を解決するための手段】
このため、請求項１に係る発明は、駐車場内に複数設けた個別の駐車区域毎に、駐車車両の入出庫管理機能と駐車料金精算機能とを有する端末機を備えた駐車場管理システムにおいて、前記複数の端末機と通信可能に接続し、これら端末機から各々送信される駐車料金精算情報に基づいて領収書の発行を集中管理する領収書発行機を、駐車場内に設置する構成とした。
【０００７】
かかる構成では、領収書発行機は、駐車場内の各端末機から送信される駐車料金精算情報に基づいて領収書の発行を集中管理する。
また、請求項２に係る発明では、前記領収書発行機は、前記複数の端末機のそれぞれの徴収金額を集計する集計機能を備えて構成した。
かかる構成では、駐車場内の複数の端末機の徴収金額を領収書発行機で一括して集計できるようになる。
【０００８】
また、請求項３に係る発明では、前記領収書発行機は、前記複数の端末機のそれぞれに駐車料金算出用の料金データを設定する料金データ設定機能を備えて構成した。
かかる構成では、駐車場内の複数の端末機に対して料金データを領収書発行機で一括して設定できるようになる。
また、請求項４に係る発明では、前記料金データ設定機能は、前記領収書発行機に接続した料金データ設定器で設定された料金データを前記複数の端末機それぞれにダウンロードする構成とした。
【０００９】
かかる構成では、料金データ設定器で設定された料金データは領収書発行機を介して駐車場内の複数の端末機に一括してダウンロードされる。
また、請求項５に係る発明では、前記料金データ設定器は、前記領収書発行機の接続前に料金データを設定可能な構成とした。
かかる構成では、別の場所で料金データを設定して料金データを端末機に設定できるようになる。
【００１０】
また、請求項６に係る発明では、前記領収書発行機は、領収書発行機自体及び各端末機のどちらか一方に設けた領収書発行要求操作部が操作されたときに領収書を発行する構成とした。
かかる構成では、領収書発行機は、領収書の発行要求があったときに領収書を発行する。
【００１１】
【発明の実施の形態】
以下に、本発明の実施の形態を図面に基づいて説明する。
図１は、本発明に係る駐車場管理システムの一実施形態を適用する駐車場の例を示す図である。
駐車場１は、入場した車２が１台駐車できる複数の駐車区域３に仕切られ、各区域３には、当該区域３を区別する例えば駐車番号（図中の１、２、・・、６）が付され、駐車車両の入出庫管理機能と、区域３に駐車した車両２の駐車料金精算機能とを有する端末機４が設けられている。また、各区域３の駐車料金の領収書を発行したり、駐車料金算出用の料金データを各端末機４にダウンロードしたり、各端末機４の徴収金額を集計して集計票を発行したりする領収書発行機５が出入口６近傍に設けられている。
【００１２】
ここで、領収書発行機５と各端末機４は、図示しない伝送線等を用いて通信可能に接続されている。
さらに、前記料金データの設定は、後述する料金データ設定器７を領収書発行機５に電気的に接続して行われる。
図２及び図３は、本実施形態に係る領収書発行機５を示した図で、図２は外観図、図３はブロック図である。
【００１３】
図において、領収書発行機５は、領収書発行機５の動作の制御を統括的に行う第１制御部８と、領収書や集計票の発行に必要な情報や、各端末機４から送信される情報等を記憶する第１メモリ９と、現在時刻を計時する第１時計ユニット１０と、例えば、領収書の発行を要求する場合に利用者が駐車番号を入力したり、集計票の発行や前記料金データの設定を要求する場合に係員が操作したりする領収書発行要求操作部としてのテンキー１１と、第１表示部１２と、領収書や集計票をプリントアウトするプリンタ１３と、各端末機４及び料金データ設定器７との間でシリアルデータ通信を行うための第１データ通信部１４と、Ｉ／Ｏユニット１５と、を備えて構成される。
【００１４】
第１表示部１２は、例えば、テンキー１１の操作によって入力された番号を表示する表示部１２ａと、領収書の発行が可能である場合に点灯するランプ１２ｂと、例えばプリンタ用紙の残量が少なくなった場合に点灯するランプ１２ｃ等を備えて構成される。
図４は、本実施形態に係る料金データ設定器７のブロック図である。
【００１５】
料金データ設定器７は、料金データ設定器７の動作の制御を統括的に行う第２制御部１６と、前記料金データの設定時に必要となる情報等を記憶する第２メモリ１７と、例えば領収書発行機５の第１時計ユニット１０と時刻合わせができるように現在時刻を計時する第２時計ユニット１８と、例えば料金データを入力するときに係員が操作するテンキー１９と、料金データの設定案内や入力した料金データ等を表示する第２表示部２０と、領収書発行機５との間でシリアルデータ通信を行うための第２データ通信部２１と、Ｉ／Ｏユニット２２と、を備えて構成される。
【００１６】
図５は、本実施形態に係る端末機４のブロック図である。
端末機４は、端末機４の制御を統括的に行う第３制御部２３と、区域３内の車２を検知する車両検知器２４と、現在時刻を計時する第３時計ユニット２５と、例えば駐車開始時刻や後述するようにして領収書発行機５からダウンロードされる料金データ等を記憶する第３メモリ２６と、区域３内の車２をロックする図１に示すフラップユニット２７をモータ駆動させるフラップ駆動部２８と、駐車料金が課金中であるか否か等をＬＥＤ等によって表示する未精算表示部２９と、駐車料金を表示する料金表示部３０と、駐車料金の精算時に金銭を受付処理する金銭処理ユニット３１と、領収書発行機５との間でシリアルデータ通信を行うための第３データ通信部３２と、Ｉ／Ｏユニット３３と、を備えて構成される。
【００１７】
ここで、車２の入出庫を管理するときの端末機４の動作を簡単に説明する。
車２が区域３に入庫してから所定位置に駐車されるまでに必要な時間が経過して駐車料金が有料になると、未精算表示部２９のＬＥＤを点灯して駐車料金が有料になったことを利用者に知らせる。このときの時刻を駐車開始時刻として第３時計ユニット２５から読み取る。その後、フラップユニット２７に備えたロック板２７Ａを起立駆動させて車２が出庫できないようにする。
【００１８】
精算時には、前記駐車開始時刻と、第３時計ユニット２５から読み取った現在時刻と、から駐車時間を算出する。そして、第３メモリ２６に記憶されている料金データと、算出した駐車時間と、から区域３の駐車料金を算出する。
算出した駐車料金に相当する金額が完納されると、ロック板２７Ａを倒伏駆動させて車２のタイヤロックを解除し出庫可能にする。
【００１９】
次に、本実施形態に係る領収書発行機５の第１制御部８の動作概要を図６のフローチャートを参照しながら説明する。
ステップ１（以下、図中でＳ１で示し、以下同様とする。）において、テンキー１１に駐車番号及び所定のパスワードのうちのどちらが入力されたのかを判定する。判定の結果、パスワードが入力されたと判定した場合はステップ２の動作に進む。一方、駐車番号が入力されたと判定した場合は後述のステップ６の動作に進む。
【００２０】
ステップ２において、領収書発行機５を係員操作用の係員モードに設定する。ステップ３において、テンキー１１の操作内容に従って集計票発行モード及び料金データ設定モードのうちのどちらの機能が選択されたのかを判定する。判定の結果、集計票発行モードが選択された場合はステップ４の動作に進み、料金データ設定モードが選択された場合は後述のステップ５の動作に進む。
【００２１】
ステップ４において、各端末機４にそれまでに徴収した金額を問い合わせて端末機４毎の売り上げや全端末機４の売り上げの合計等を集計し、集計結果をプリントした集計票を発行する。
ステップ５において、後述するようにして料金データ設定器７からダウンロードされた料金データを端末機４にダウンロードする。
【００２２】
尚、選択したステップ４またはステップ５の動作が終了し、ステップ３におけるテンキー１１の操作で係員モード終了が選択されるとステップ１の動作に戻る。
領収書発行機５は通常、領収書発行モードに設定されているので、ステップ１において、テンキー１１に駐車番号が入力されると、領収書の発行要求があったと判定し、ステップ６において、当該駐車番号の区域３に設けられた端末機４に後述するような内容の駐車料金精算情報を問い合わせて領収書を発行する。
【００２３】
次に、領収書を発行する場合の領収書発行機５の第１制御部８の動作を図７のフローチャートを参照しながら詳述する。
ステップ１１において、テンキー１１に駐車番号が入力されたか否かを判定する。判定の結果、ＹＥＳの場合はステップ１２の動作に進み、ＮＯの場合はステップ１１の動作を再度行う。
【００２４】
尚、テンキー１１に領収書発行用の専用のボタンを設ける構成としてもよく、この場合はステップ１１で当該専用のボタンが押されたか否かを判定する。
ステップ１２において、テンキー１１に入力された駐車番号の区域３に設けられた端末機４に、駐車料金精算金額や駐車時間等、駐車中に端末機４が認識する駐車料金精算情報を問い合わせる。
【００２５】
ステップ１３において、ステップ１２の問い合わせに対する応答があるまで待機する。
利用者による駐車料金の支払いが完了し端末機４から応答があると、ステップ１４において、例えば、前記駐車料金精算情報や、ステップ１１で入力された駐車番号や、第１時計ユニット１０から読み取った発行時刻や、発行会社名等の所定事項をプリントした領収書を発行する。
【００２６】
以上のように、駐車場１内の各区域３に駐車した車両２の駐車料金の領収書を一括して発行する領収書発行機５を設けたので、端末機４毎にプリンタを備える必要がなくなる。これにより従来のように端末機毎にプリンタの点検を行ったり、プリンタ用紙の補充を行ったりする必要がなくなりメンテナンス作業の負担を軽減できる。
【００２７】
尚、領収書の発行を要求する操作部を端末機４側に設ける構成としてもよい。次に、集計票を発行する場合の端末機４と領収書発行機５の動作を図８のフローチャートを参照しながら詳述する。
ステップ２１において、例えば係員が、領収書発行機５と通信可能に接続されている全ての端末機４の金銭処理ユニット３１に備えた図示しない金庫を抜き出して金銭を回収する。これにより端末機４の第３制御部２３は徴収金額を割り出すと共に、当該徴収金額に関する集計データを作成する。
【００２８】
ステップ２２において、領収書発行機５の第１制御部８は、テンキー１１に所定のパスワードが入力されたか否かを判定する。判定の結果、ＹＥＳの場合はステップ２３の動作に進み、ＮＯの場合はステップ２２の動作を再度行う。
ステップ２３において、第１制御部８は、領収書発行機５を前記係員モードに設定する。
【００２９】
ステップ２４において、テンキー１１の操作内容に従って集計票発行モードが選択されたか否かを判定する。判定の結果、ＹＥＳの場合はステップ２５の動作に進み、ＮＯの場合はステップ２４の動作を再度行う。
ステップ２５において、領収書発行機５と通信可能に接続されている全ての端末機４に前記集計データを問い合わせる。
【００３０】
ステップ２６において、ステップ２５で行った問い合わせに対する応答があるまで待機する。
端末機４から応答があり集計データを各端末機４から受信すると、ステップ２７において、第１制御部８は、例えば端末機４毎の売り上げや全端末機４の売り上げの合計等を集計し、集計結果等の所定事項をプリントした集計票を発行する。
【００３１】
ステップ２８において、第１制御部８は、集計票が正常に発行されたか否かを判定する。判定の結果、ＹＥＳの場合はステップ２９の動作に進み、ＮＯの場合はステップ２４の動作に戻る。
ステップ２９において、第１制御部８は、各端末機４の第３制御部２３に対して前記集計データをリセットするための制御信号を送信する。
【００３２】
以上のように、各端末機４で徴収した金銭の額を領収書発行機５が一括して集計する構成としたので、従来のように全端末機４を巡回して集計する必要がなくなる。これにより、係員による作業時間を短縮でき、駐車場の運営管理の負担を軽減できる。
次に、料金データを設定する場合の領収書発行機５と料金データ設定器７の動作を図９のフローチャートを参照しながら詳述する。
【００３３】
ステップ３１において、領収書発行機５の第１制御部８は、テンキー１１に所定のパスワードが入力されたか否かを判定する。判定の結果、ＹＥＳの場合はステップ３２の動作に進み、ＮＯの場合はステップ３１の動作を再度行う。
ステップ３２において、第１制御部８は、領収書発行機５を前記係員モードに設定する。
【００３４】
ステップ３３において、テンキー１１の操作内容に従って料金データ設定モードが選択されたか否かを判定する。判定の結果、ＹＥＳの場合はステップ３４の動作に進み、ＮＯの場合はステップ３３の動作を再度行う。
料金データ設定モードになり、係員によって領収書発行機５と料金データ設定器７とが電気的に接続されると、ステップ３４において、料金データ設定器７に電源が供給される。
【００３５】
尚、領収書発行機５で料金データ設定モードが選択される前に料金データ設定器７を領収書発行機５に接続する構成としてもよい。
ステップ３５において、料金データ設定器７の第２制御部１６は、係員によるテンキー１９の操作により料金データが設定されたか否かを判定する。判定の結果、ＹＥＳの場合はステップ３６の動作に進み、ＮＯの場合はステップ３５の動作を再度行う。
【００３６】
ステップ３６において、第２制御部１６は、設定された料金データを領収書発行機５にダウンロードするためのテンキー１９の操作があったか否かを判定する。判定の結果、ＹＥＳの場合はステップ３７の動作に進み、ＮＯの場合はステップ３６の動作を再度行う。
ステップ３７において、第２制御部１６は、設定された料金データを領収書発行機５の第１メモリ９にダウンロードする。
【００３７】
ステップ３８において、領収書発行機５の第１制御部８は、ステップ３７でダウンロードされた料金データを領収書発行機５と通信可能に接続されている全ての端末機４にダウンロードする。
以上のように、領収書発行機５は、料金データ設定器７からダウンロードされた料金データを駐車場１内に設けられた全ての端末機４にダウンロードする構成としたので、各端末機４に対して料金データを一括して設定できるようになり、従来のように端末機４毎に料金データを設定する必要がなくなる。これにより、料金データの設定作業の時間を短縮でき、駐車場の運営管理の負担を軽減できる。
【００３８】
尚、本実施形態では、領収書発行機５に接続してから料金データ設定器７に料金データを設定する構成としたが、駐車場１以外の場所で料金データ設定器７に料金データを設定してから料金データ設定器７を領収書発行機５に接続する構成としてもよい。この場合、駐車場１での作業時間を短縮することが可能になる。
また、本実施形態のように料金データ設定器７で設定された料金データを領収書発行機５にダウンロードする構成にすれば、料金データ設定器７がないと料金データの設定ができなくなるので、第三者による料金データの変更を確実に防止できるが、領収書発行機５自体に料金データを設定する機能を内蔵する構成としてもよい。
【００３９】
さらに、本実施形態では、領収書発行機５は、全ての端末機４に料金データをダウンロードする構成としたが、全ての端末機４にダウンロードせず、例えば駐車場１内に予め設定したエリアに設けられた端末機４のみに料金データをダウンロードする構成としてもよい。この場合、駐車場１内に予め設定した複数のエリア毎に料金データを設定することが可能になる。
【００４０】
【発明の効果】
以上説明したように、請求項１、６に係る発明によれば、従来のように端末機毎にプリンタの点検等を行う必要がなくなるので、メンテナンス作業の負担を軽減できる。
請求項２に係る発明によれば、従来のように端末機毎に集計する必要がなくなるので、集計作業の時間を短縮できる。
【００４１】
請求項３に係る発明によれば、従来のように端末機毎に料金データを設定する必要がなくなるので、設定作業の時間を短縮できる。
請求項４に係る発明によれば、料金データ設定器がないと料金データの設定ができない構成となるので、第三者による料金データの変更を確実に防止できる。請求項５に係る発明によれば、予め料金データを設定する構成としたので、駐車場での作業時間を短縮できる。
【図面の簡単な説明】
【図１】本発明に係る駐車場管理システムの一実施形態を適用する駐車場の例を示す図
【図２】同上実施形態に係る領収書発行機の外観図
【図３】同上実施形態に係る領収書発行機のブロック図
【図４】同上実施形態に係る料金データ設定器のブロック図
【図５】同上実施形態に係る端末機のブロック図
【図６】同上実施形態の領収書発行機の動作フローチャート
【図７】領収書を発行する場合の同上実施形態の領収書発行機の動作フローチャート
【図８】集計票を発行する場合の同上実施形態の端末機と領収書発行機の動作フローチャート
【図９】料金データを設定する場合の同上実施形態の領収書発行機と料金データ設定器の動作フローチャート
【符号の説明】
１            駐車場
３        駐車区域
４        端末機
５        領収書発行機
７        料金データ設定器
１１      テンキー
１３      プリンタ
【図１】
0003571647.tif 000002
【図２】
0003571647.tif 000003
【図３】
0003571647.tif 000004
【図４】
0003571647.tif 000005
【図５】
0003571647.tif 000006
【図６】
0003571647.tif 000007
【図７】
0003571647.tif 000008
【図８】
0003571647.tif 000009
【図９】
0003571647.tif 000010